(57)【特許請求の範囲】
【請求項１】
一端と、他端と、該一端と他端とを連結する側面とを有する軸芯部と、
該軸芯部と一体で構成され該軸芯部の一端にのみ設けられ端子電極が配置される鍔部と、
一端部と他端部と軸芯部端部配置部と該軸芯部側面配置部とを有し、該軸芯部側面配置部は該軸芯部の側面に対向して配置され、該一端部、該他端部はそれぞれ該端子電極をなすか又は該端子電極に電気的に接続される導体とを備え、
該軸芯部の他端から該軸芯部の一端へ延出する空間を画成する導体支持部が該軸芯部に設けられ、該導体支持部が該軸芯部端部配置部を支持し、
該軸芯部側面配置部は該軸芯部側面を巻回する巻回部を有し、
該導体支持部は該軸芯部の他端において溝が形成された部分からなり、該軸芯部端部配置部は該溝内に配置されていることを特徴とするコイル部品。
【請求項２】
該軸芯部の一端と他端とを結ぶ方向において軸芯部端部配置部は該巻回部よりも他端側に配置されていることを特徴とする請求項１記載のコイル部品。
【請求項３】
該溝は複数形成されていることを特徴とする請求項１又は請求項２記載のコイル部品。
【請求項４】
該溝の底部には、該軸芯部の一端と他端とを結ぶ方向において該軸芯部の一端から該軸芯部端部配置部までの距離を所定の値とするスペーサが設けられていることを特徴とする請求項１乃至請求項３のいずれか一記載のコイル部品。
【請求項５】
該溝には、該溝を埋めて該軸芯部の他端を平坦面とする樹脂が充填されていることを特徴とする請求項１乃至請求項４のいずれか一記載のコイル部品。
【請求項６】
該軸芯部の他端は他端面を有し、該軸芯部の他端には、該他端面よりも広い面積を有する平面板が該軸芯部と別体で固定されて設けられていることを特徴とする請求項１乃至請求項５のいずれか一記載のコイル部品。
【請求項７】
該軸芯部の一端と他端とを結ぶ方向における高さは１ｍｍ以下であることを特徴とする請求項１乃至請求項６のいずれか一記載のコイル部品。
【請求項８】
該鍔部は樹脂からなることを特徴とする請求項１乃至請求項７のいずれか一記載のコイル部品。
【発明の詳細な説明】
【技術分野】
【０００１】
本発明はコイル部品に関し、特に巻芯部と鍔部とを有するチョークコイルや高周波コイルなどのコイル部品に関する。
【背景技術】
【０００２】
コイル部品としては、一対の鍔部と当該一対の鍔部を連結する巻芯部とを有するドラムコアを備える構成のものが知られている。ドラムコアの巻芯部には、絶縁被覆された銅線からなる巻線が巻回されている。鍔部には端子電極が設けられており、端子電極には巻線の一端又は他端が電気的に接続されて継線されている。このようなコイル部品は、例えば、特開平９−２７０３１６号公報（特許文献１）に記載されている。
【特許文献１】特開平９−２７０３１６号公報
【発明の開示】
【発明が解決しようとする課題】
【０００３】
携帯電話を代表とする携帯電子機器においては、薄型化、小型化が製品に付加価値を生み、これらがデザイン戦略の柱となっている。携帯電子機器の薄型化や小型化は、携帯電子機器に搭載されるコイル部品等の電子部品の薄型化や小型化が直接影響する。コイル部品の中には、特性の要求やコストメリットによりチップ化にならないものがある。チョークコイルや高周波コイルなどのコイル部品もその一つである。これらのコイル部品のコアとしては、前述のドラムコアが用いられているが、ドラムコアは、巻芯部と一対の鍔部とを有するため、一対の鍔部を結ぶ方向におけるコイル部品の高さがどうしても高くなるという問題が生じていた。
【０００４】
ここで、一対の鍔部を結ぶ方向におけるコイル部品の高さを低くするために、同方向における巻芯部の長さを短くすることが考えられるが、このように短くすると、コイル部品のＬ値を調整可能な範囲が狭まり、Ｌ値を所望の値に調整することが困難になる。Ｌ値を調整するためには、巻芯部に巻回された巻線の巻回数を調整したり、巻線の太さを調整したり、巻芯部に巻回された巻線間のギャップを調整したりすることで対応できるが、一対の鍔部を結ぶ方向における巻芯部の長さが短くなると、これらの調整をすることができる範囲が小さくなってしまうからである。
【０００５】
そこで、本発明は、低背化を図ることができ、且つＬ値の調整の幅が広いコイル部品を提供することを目的とする。
【課題を解決するための手段】
【０００６】
上記目的を達成するために本発明は、一端と、他端と、該一端と他端とを連結する側面とを有する軸芯部と、該軸芯部と一体で構成され該軸芯部の一端にのみ設けられ端子電極が配置される鍔部と、一端部と他端部と軸芯部端部配置部と該軸芯部側面配置部とを有し、該軸芯部側面配置部は該軸芯部の側面に対向して配置され、該一端部、該他端部はそれぞれ該端子電極をなすか又は該端子電極に電気的に接続される導体とを備え、該軸芯部の他端から該軸芯部の一端へ延出する空間を画成する導体支持部が該軸芯部に設けられ、該導体支持部が該軸芯部端部配置部を支持し、該軸芯部側面配置部は該軸芯部側面を巻回する巻回部を有し、該導体支持部は該軸芯部の他端において溝が形成された部分からなり、該軸芯部端部配置部は該溝内に配置されているコイル部品を提供している。
【０００７】
軸芯部の一端にのみ鍔部が設けられているため、軸芯部の一端と他端とを結ぶ方向におけるコイル部品の高さを低くすることができ、その分低背化を図ることができ、薄型化を図ることができる。更に、軸芯部の他端から軸芯部の一端へ延出する空間を画成する導体支持部が軸芯部に設けられているため、導体支持部が軸芯部端部配置部を支持することができ、軸芯の長さを縮めることなく、導体の巻数（長さ）を調整することができる。このためＬ値の調整可能な範囲を広くすることができる。また、導体支持部は軸芯部の他端において溝が形成された部分からなるため、軸芯部端部配置部を溝内に配置することで軸芯部端部配置部を支持することができる。
【０００９】
また、該軸芯部の一端と他端とを結ぶ方向において軸芯部端部配置部は該巻回部よりも他端側に配置されていることが好ましい。
【００１０】
軸芯部の一端と他端とを結ぶ方向において軸芯部端部配置部は巻回部よりも他端側に配置されているため、軸芯部に導体を複数回巻回する場合、導体が軸心から外れてしまういわゆる巻き崩れ等を防止することができる。
【００１１】
また、該溝は複数形成されていることが好ましい。溝は複数形成されているため溝に配置させる導体の配置のさせ方を変えることで、Ｌ値の微調整をすることができる。
【００１２】
また、該溝の底部には、該軸芯部の一端と他端とを結ぶ方向において該軸芯部の一端から該軸芯部端部配置部までの距離を所定の値とするスペーサが設けられていることが好ましい。
【００１３】
溝の底部には、軸芯部の一端と他端とを結ぶ方向において軸芯部の一端から軸芯部端部配置部までの距離を所定の値とするスペーサが設けられているため、同方向における軸芯部の一端から軸芯部端部配置部までの距離を微調整することができ、このためＬ値の微調整をすることができる。
【００１４】
また、該溝には、該溝を埋めて該軸芯部の他端を平坦面とする樹脂が充填されていることが好ましい。溝には、溝を埋めて軸芯部の他端を平坦面とする樹脂が充填されているため、実装基板に実装する際、吸着ノズルにより当該平坦面に対して吸着することによりコイル部品を吸着することができる。
【００１５】
また、該軸芯部の他端は他端面を有し、該軸芯部の他端には、該他端面よりも広い面積を有する平面板が該軸芯部と別体で固定されて設けられていることが好ましい。
【００１６】
軸芯部の他端は他端面を有し、軸芯部の他端には、他端面よりも広い面積を有する平面板が軸芯部と別体で固定されて設けられているため、実装基板に実装する際、吸着ノズルにより当該平面板に対して吸着することによりコイル部品を吸着することができる。
【００１７】
また、該軸芯部の一端と他端とを結ぶ方向における高さは１ｍｍ以下であることが好ましい。軸芯部の一端と他端とを結ぶ方向における高さは１ｍｍ以下であるため、十分に低背化を図ったコイル部品とすることができる。
【００１８】
また、該鍔部は樹脂からなることが好ましい。鍔部は樹脂からなるため、鍔部を薄く構成した場合であっても鍔部が割れたり鍔部にクラックが入ったりすることを防止することができる。
【発明の効果】
【００１９】
以上により、本発明は、低背化を図ることができ、且つＬ値の調整の幅が広いコイル部品を提供することができる。
【発明を実施するための最良の形態】
【００２０】
本発明の第１の実施の形態によるコイル部品について図１乃至図３を参照しながら説明する。図１に示されるようにコイル部品１は、具体的には例えば、チョークコイルや高周波コイル等のワイヤ線を有する構成をしており、コア１０と、巻線３０とを備えている。
【００２１】
コア１０は磁性体（例えば、フェライト等）からなり、図１に示されるように、巻芯部１１と鍔部２１とを有している。巻芯部１１は略四角柱形状をなしており、その軸方向の一端には鍔部２１が設けられ、軸方向の他端には他端面１１Ａを有している。巻芯部１１の表面であって巻芯部１１の一端と他端との間には、これら一端と他端とを連結するようにして側面１１Ｃを有している。巻芯部１１は軸芯部に相当する。
【００２２】
巻芯部１１の他端面１１Ａには溝１１ａが形成されている。溝１１ａは、図３に示されるように、略長方形状をなす巻芯部１１の他端面１１Ａを画成する一対の短辺の略中央位置を結ぶように長辺に平行に一方の短辺から他方の短辺へ至るまで形成されており、溝１１ａの深さの値は、後述する巻線３０の直径の値よりも大きい。従って、後述の巻線３０の軸芯部端部配置部３３を溝１１ａ内に配置させることができるように構成されている。溝１１ａ内の空間は、図３（ｂ）に示されるように、巻芯部１１の他端から巻芯部１１の一端へ延出して形成されており、溝１１ａを画成する巻芯部１１の部分は導体支持部に相当する。従って、導体支持部が後述の軸芯部端部配置部３３を支持することになる。
【００２３】
なお、図３（ｂ）、後述の図６（ｂ）、図９、図１２（ｂ）、図１５では、説明の便宜上巻線３０の一部を省略して図示している。
【００２４】
鍔部２１は巻芯部１１と一体で構成されており、横０．６ｍｍ、縦０．３ｍｍの略長方形状の板状をなしている。鍔部２１の互いに対向する側面１１Ｃの略中央位置には、めっき電極たる端子電極２２が１つずつ計２つ設けられている。巻芯部１１の一端と他端とを結ぶ方向、即ち、図２の上下方向におけるコア１０の高さは０．３ｍｍであり１ｍｍ以下となっており、十分に低背化を図ったコイル部品１とすることができる。
【００２５】
巻線３０としては、例えば周囲を絶縁被覆された銅線が用いられ、その直径は２０μｍ〜８０μｍ程度である。巻線３０は、一端部３１と他端部３２と軸芯部端部配置部３３と軸芯部側面配置部３４とを有している。一端部３１は一方の端子電極２２に電気的に接続されて継線されている。図３に示されるように、一端部３１から他端寄りの部分は、巻芯部１１の４つの側面１１Ｃにそれぞれ順に対向するようにして巻芯部１１を時計周りに１周弱巻回し、一端部３１に対向する溝１１ａの一端から溝１１ａ内に入る。そして、溝１１ａ内を通り、溝１１ａの他端から溝１１ａ外へ出て、巻芯部１１の側面１１Ｃに巻回されている巻線３０の部分よりも、巻芯部１１の一端と他端とを結ぶ方向において巻芯部１１の他端側、即ち図２の上側を通り他方の端子電極２２へと延出し、巻線３０の他端部３２は、他方の端子電極２２に電気的に接続されて継線されている。電気的な接続は、より具体的には溶接や半田付け等により行われる。巻線３０は導体に相当する。
【００２６】
導線の溝１１ａ内に配置されている部分は軸芯部端部配置部３３に相当し、導線の一端部３１、他端部３２、軸芯部端部配置部３３以外の部分は、巻芯部１１の側面１１Ｃに対向する軸芯部側面配置部３４に相当し、軸芯部側面配置部３４の一部であって巻芯部１１の側面１１Ｃを巻回している部分は巻回部３５に相当する。
【００２７】
巻芯部１１の一端にのみ鍔部２１が設けられているため、巻芯部１１の一端と他端とを結ぶ方向、即ち、図２の上下方向におけるコイル部品１の高さを低くすることができ、その分低背化を図ることができ、薄型化を図ることができる。更に、巻芯部１１の他端に溝１１ａが形成されているため、溝１１ａを画成する導体支持部が軸芯部端部配置部３３を支持することができ、巻芯部１１の長さを縮めることなく、巻線３０の巻数（長さ）を調整することができる。このためＬ値の調整可能な範囲を広くすることができる。
【００２８】
また、巻芯部１１の一端と他端とを結ぶ方向において軸芯部端部配置部３３は巻回部３５よりも他端側に配置されているため、巻芯部１１に巻線３０を複数回巻回する場合、巻回部１１を上から軸芯部端部配置部３３で押さえつけて、巻線３０が軸心から外れてしまういわゆる巻き崩れ等を防止することができる。また、巻芯部１１の側面１１Ｃの周りを巻回せずに、一方の端子電極２２に巻線３０の一端部３１が継線され、巻線３０の一端部３１から他端寄りの部分がすぐに溝１１ａの一端から溝１１ａ内に入り、溝１１ａ内を通って、溝１１ａの他端から溝１１ａ外へ出て、巻線３０の他端部３２が他方の端子電極２２に継線されるといったように、巻線３０を一直線状に配置することも可能である。
【００２９】
次に、本発明の第２の実施の形態によるコイル部品１０１について図４乃至図６を参照しながら説明する。第２の実施の形態によるコイル部品１０１は、溝が複数形成されている点、巻線３０の配置が異なる点において第１の実施の形態とは異なる。これら以外の点については、第１の実施の形態と同一であり説明を省略する。第１の実施の形態と同一の部材については同一の符号を用いて説明する。
【００３０】
溝１１ａ、１１ｂは、図６に示されるように、平行に２本形成されている。溝１１ａ、１１ｂは、略長方形状をなす巻芯部１１の他端面１１Ａを画成する長辺に平行に一方の短辺から他方の短辺へ至るまで形成されている。図６（ａ）に示されるように、一方の長辺から他方の長辺へ向かう方向において、一方の長辺から他方の長辺までの距離を１０とすると、一方の長辺から第１の溝１１ａまでの距離は３であり、一方の長辺から第２の溝１１ｂまでの距離が７となるように間隔を隔てて形成されている。
【００３１】
また、巻芯部１１の他端から、鍔部２１と接続されている巻芯部１１の部分まで、即ち、図６（ｂ）の右端から鍔部２１までの距離を４とすると、第１の溝１１ａの深さは２であり、第２の溝１１ｂの深さは４となるように異なる深さで形成されている。
【００３２】
巻線３０の一端部３１は一方の端子電極２２に電気的に接続されて継線されている。図６に示されるように、一端部３１から他端寄りの部分は、第２の溝１１ｂの一端から第２の溝１１ｂ内に入り、第２の溝１１ｂ内を通り、第２の溝１１ｂの他端から第２の溝１１ｂ外へ出て、当該側面１１Ｃに沿って伸び巻芯部１１の側面１１Ｃを時計周りに巻回して第１の溝１１ａの一端から第１の溝１１ａ内に入り、第１の溝１１ａ内を通り、第１の溝１１ａの他端から溝１１ａ外へ出る。そして、巻芯部１１の側面１１Ｃに巻回されている巻線３０の部分よりも、巻芯部１１の一端と他端とを結ぶ方向において巻芯部１１の他端側、即ち図５の上側を通り他方の端子電極２２へと延出し、巻線３０の他端部３２は、他方の端子電極２２に電気的に接続されて継線されている。上述のように溝１１ａ、１１ｂは複数形成されているため、複数の溝１１ａ、１１ｂに配置させる巻線の配置のさせ方を様々に変えることにより、Ｌ値の微調整をすることができる。
【００３３】
次に、本発明の第３の実施の形態によるコイル部品２０１について図７乃至図９を参照しながら説明する。第３の実施の形態によるコイル部品２０１は、溝１１ａの底部にスペーサ１２が設けられている点において第１の実施の形態とは異なる。これら以外の点については、第１の実施の形態と同一であり説明を省略する。第１の実施の形態と同一の部材については同一の符号を用いて説明する。
【００３４】
溝１１ａの底部には、図７、図９に示されるように、樹脂製のスペーサ１２が設けられている。スペーサ１２は、巻芯部１１の一端と他端とを結ぶ方向、即ち、図９の左右方向において所定の厚さを有しており、巻芯部１１の一端から軸芯部端部配置部３３までの距離を所定の値とすることができるように構成されている。このため、厚さの異なるスペーサを用いることで、巻芯部１１の一端と他端とを結ぶ方向における巻芯部１１の一端から軸芯部端部配置部３３までの距離を微調整することができ、このためＬ値の微調整をすることができる。
【００３５】
次に、本発明の第４の実施の形態によるコイル部品３０１について図１０乃至図１２を参照しながら説明する。第４の実施の形態によるコイル部品３０１は、溝１１ａを埋めて巻芯部１１の他端を平坦面とする樹脂１３が溝１１ａに充填されている点において第１の実施の形態とは異なる。これら以外の点については、第１の実施の形態と同一であり説明を省略する。第１の実施の形態と同一の部材については同一の符号を用いて説明する。
【００３６】
溝１１ａには、溝１１ａを埋める樹脂１３が充填されている。図１０において溝１１ａを埋める樹脂１３の最上面は巻芯部１１の他端面１１Ａと面一になっており、他端面１１Ａにおいてあたかも溝１１ａが形成されていないかのように他端面１１Ａ全体が平坦面になっている。このため、実装基板に実装する際、図示せぬ吸着ノズルにより当該平坦面に対して吸着することによりコイル部品３０１を吸着することができる。
【００３７】
次に、本発明の第５の実施の形態によるコイル部品４０１について図１３乃至図１５を参照しながら説明する。第５の実施の形態によるコイル部品４０１は、巻芯部１１の他端に平面板１４が設けられている点において第１の実施の形態とは異なる。これら以外の点については、第１の実施の形態と同一であり説明を省略する。第１の実施の形態と同一の部材については同一の符号を用いて説明する。
【００３８】
平面板１４は、巻芯部１１の他端に設けられている。平面板１４は、巻芯部１１の他端面１１Ａ（図１４）よりも広い面積を有し、より具体的には鍔部２１の図１４に示される下面と略同一の面積を有する長方形状の板状をなしている。平面板１４は、巻芯部１１と別体で構成されて巻芯部１１の他端面１１Ａに貼付けられることで固定されて設けられている。平面板１４は樹脂フィルムからなり、厚さは５０μｍ程度である。巻芯部１１の他端には、他端面１１Ａよりも広い面積を有する平面板１４が巻芯部１１と別体で固定されて設けられているため、実装基板に実装する際、図示せぬ吸着ノズルにより当該平面板１４に対して吸着することによりコイル部品４０１を吸着することができる。
【００３９】
本発明によるコイル部品は、上述した実施の形態に限定されず、特許請求の範囲に記載した範囲で種々の変形や改良が可能である。例えば、本実施の形態では、溝１１ａは巻芯部１１の他端へ開口するコの字状をなし、溝１１ａの底面は巻芯部１１の一端と他端とを結ぶ方向に垂直をなしていたが、溝の形状はこの形状に限定されない。例えば溝の底面は傾斜していてもよいし、開口部から底部に向かうにつれて溝の幅が広がるテーパ形状であってもよいし、溝の延出方向に垂直に切った断面が円弧形状をなしていてもよい。
【００４０】
また、溝を複数形成する場合に平行に配置しなくてもよく、また、略長方形状をした巻芯部１１の他端面１１Ａを画成する短辺間を結ぶように形成せずに、例えば、一の短辺と一の長辺とを結ぶように形成してもよい。また、第２の実施の形態では２本の溝１１ａの深さは異なっていたが、同じ深さであってもよい。
【００４１】
また、端子電極２２は鍔部２１に設けられ、巻線３０の一端部３１、他端部３２は端子電極２２、２２にそれぞれ継線されたが、これに限定されない。例えば、巻線３０の一端部３１、他端部３２がそのまま端子電極を構成してもよい。
【００４２】
また、本実施の形態では、巻芯部１１の端部に形成された溝１１ａ内に巻線３０の軸芯部端部配置部３３が配置されたが、この構成に限定されない。巻芯部の他端から巻芯部の一端へ延出する空間を画成する導体支持部が巻芯部に設けられ、導体支持部が軸芯部端部配置部３３を支持する構成であれば、どのような構成であってもよい。
【００４３】
例えば、略平行に配置された複数の軸芯部分から巻芯部が構成され、複数の軸芯部分間に画成された空間内に軸芯部端部配置部３３が配置されて、軸芯部端部配置部３３が支持されてもよい。この場合、複数の軸芯部分は導体支持部に相当する。軸芯部分としては、例えば、鍔部の図２の上面に相当する一面から略垂直に図２の上方に相当する方向へ延出する柱状のものや、壁状のものが考えられる。複数の柱の間や複数の壁の間に形成された空間に軸芯部端部配置部３３が配置されて、軸芯部端部配置部３３が支持される。
【００４４】
また、巻芯部の形状は四角柱形状に限定されない。例えば、巻芯部の軸方向に垂直に切った断面は円形をなして巻芯部が円柱形状をなしてもよい。
【００４５】
また、鍔部２１を巻芯部１１と一体で構成しなくてもよい。例えば、鍔部を樹脂にて構成してもよい。このようにすることにより、鍔部が薄い場合であっても、鍔部が割れたり鍔部にクラックが入ったりすることを防止することができる。
【００４６】
また、第４の実施の形態では、溝１１ａ内にのみ樹脂を充填させたが、溝１１ａ内及びコイル部品３０１全体を覆うようにして樹脂を設けてモールドするようにしてもよい。
【００４７】
また、コア１０は例えばフェライト等からなる磁性体により構成されたが、非磁性体、例えばセラミック等により構成されてもよい。また、スペーサ１２は樹脂製に限定されない。
【００４８】
また、端子電極２２はめっき電極により構成されたが、めっき電極に限定されない。例えば、金属金具等により端子電極を構成してもよい。
【産業上の利用可能性】
【００４９】
本発明は、チョークコイルや高周波コイルなどのコイル部品の分野において有用である。
【図面の簡単な説明】
【００５０】
【図１】本発明の第１の実施の形態によるコイル部品を示す斜視図。
【図２】本発明の第１の実施の形態によるコイル部品を示す正面図。
【図３】本発明の第１の実施の形態によるコイル部品を示す図であり、（ａ）は平面図、（ｂ）は側方要部部分断面図。
【図４】本発明の第２の実施の形態によるコイル部品を示す斜視図。
【図５】本発明の第２の実施の形態によるコイル部品を示す正面図。
【図６】本発明の第２の実施の形態によるコイル部品を示す図であり、（ａ）は平面図、（ｂ）は側方要部断面図。
【図７】本発明の第３の実施の形態によるコイル部品を示す斜視図。
【図８】本発明の第３の実施の形態によるコイル部品を示す正面図。
【図９】本発明の第３の実施の形態によるコイル部品を示す側方要部断面図。
【図１０】本発明の第４の実施の形態によるコイル部品を示す斜視図。
【図１１】本発明の第４の実施の形態によるコイル部品を示す正面図。
【図１２】本発明の第４の実施の形態によるコイル部品を示す図であり、（ａ）は平面図、（ｂ）は側方要部断面図。
【図１３】本発明の第５の実施の形態によるコイル部品を示す斜視図。
【図１４】本発明の第５の実施の形態によるコイル部品を示す正面図。
【図１５】本発明の第５の実施の形態によるコイル部品を示す側方要部断面図。
【符号の説明】
【００５１】
１、１０１、２０１、３０１、４０１          コイル部品
１０          コア
１１          巻芯部
１１Ａ        他端面
１１ａ、１１ｂ          溝
１２          スペーサ
１３          樹脂
１４          平面板
２１          鍔部
２２          端子電極
３０          巻線
３１          一端
３２          他端
３３          軸芯部端部配置部
３４          軸芯部側面配置部
【図１】
0005099589.tif 000002
【図２】
0005099589.tif 000003
【図３】
0005099589.tif 000004
【図４】
0005099589.tif 000005
【図５】
0005099589.tif 000006
【図６】
0005099589.tif 000007
【図７】
0005099589.tif 000008
【図８】
0005099589.tif 000009
【図９】
0005099589.tif 000010
【図１０】
0005099589.tif 000011
【図１１】
0005099589.tif 000012
【図１２】
0005099589.tif 000013
【図１３】
0005099589.tif 000014
【図１４】
0005099589.tif 000015
【図１５】
0005099589.tif 000016